(57)【特許請求の範囲】
【請求項１】
画像漏洩電波を検出する受信手段と、
受信された画像漏洩電波を増幅／検波し盗視画像を得る増幅／検波手段と、
コンピュータ本体のディスプレイ出力端子に接続される第１の接続手段と、
ディスプレイの入力端子に接続される第２の接続手段とを備え、
上記増幅／検波手段の出力を第２の接続手段の画像端子に接続し、
第１の接続手段から入力される同期信号を第２の接続手段の同期信号端子に接続したことを特徴とする電波盗視テスター。
【請求項２】
第２の接続手段の画像端子を、増幅／検波手段の出力もしくは第１の接続手段から入力される画像信号に選択的に接続する切換手段を設けたことを特徴とする請求項１の電波盗視テスター。
【請求項３】
第２のディスプレイに接続される第３の接続手段を設け、
第１の接続手段から入力される画像信号および同期信号を第３の接続手段の画像端子および同期信号端子に接続した
ことを特徴とする請求項１または請求項２の電波盗視テスター。
【請求項４】
画像漏洩電波を検出する受信手段として、画像漏洩電波を検出するサーチコイルを用いた
ことを特徴とする請求項１，２または請求項３の電波盗視テスター。
【請求項５】
外部に設けられた周波数可変発振器に接続される外部同期信号入力端子と、
第２の接続手段の同期信号端子を、外部同期信号入力端子と第１の接続手段の同期信号端子に選択的に接続する切換手段を設けた
ことを特徴とする請求１，２，３または請求項４の電波盗視テスター。
【発明の詳細な説明】
【０００１】
【産業上の利用分野】
本発明はコンピュータシステムにおける漏洩電波による画像情報の盗視を確認する電波盗視テスターに関する。
一般に、ディスプレイ装置およびそれに接続される装置やケーブルからは、画像信号のタイミングにより変調された多数の漏洩電波が発生している。
【０００２】
これらの電波は非常に微弱であるが、これらの電波には漏洩電波が含まれているため、この電波を高感度のアンテナや受信機で受信して処理を行うことにより画像を再現することができ、情報が漏れるという問題があった。しかし、画像が盗視されるかどうかの確認手段がなく、盗視技術を持つ業者に測定依頼をして確認する必要があった。
【０００３】
【従来の技術】
一般にパソコンからは、画面情報により振幅変調された漏洩電波が発生している。しかしながら、この電波には同期信号が含まれていない。一方、普通のテレビ放送では画像情報と同期信号が混在した電波が使用されている。
そこで、パソコンから発生する漏洩電波を盗視するには、同期信号を入力してやる必要がある。
【０００４】
図１０は従来の盗視装置の構成を示す図であり、同図において、１０１はパソコン、１０２はディスプレイ、１０３は画像漏洩電波を受信するアンテナ、１０４は受信した電波を増幅するプリアンプ、１０５は受信した画像を表示する画像表示装置、１０６は水平同期発振器、１０７は垂直同期発振器である。
同図において、パソコン１０１、ディスプレイ１０２、それらを接続するケーブルから画像漏洩電波が発生すると、アンテナ１０３はその電波を受信する。受信された画像漏洩電波はプリアンプ１０４で増幅され、画像表示装置１０５に入力される。
【０００５】
一方、前記したように、受信された画像漏洩電波には同期信号が含まれていないので、水平同期発振器１０６、垂直同期発振器１０７から水平同期信号、垂直同期信号を画像表示装置１０５に供給し、その位相を調整する。そして、その位相がパソコン１０４内部の同期信号の位相と完全に一致すれば、パソコン１０１の表示画像を再生することができる。
【０００６】
【発明が解決しようとする課題】
以上のように、漏洩電波を受信することさえできれば、コンピュータシステムの画像を盗視することができるが、画像として再生するには、上記のように、盗視装置で発生させる同期信号の周波数と位相をコンピュータシステムで使用している同期信号と完全に一致させる調整が必要である。
【０００７】
また、正確な同期信号が発生できても、完全に位相を合わせることは不可能であるため、再生画像は時間経過とともに表示位置がずれてしまうという問題がある。
本発明は上記した従来技術の問題点に鑑みなされたものであって、本発明の目的は、新たな盗視用テレビを必要とせず、被測定装置のディスプレイ・ケーブル間に本発明の装置を挿入することにより、被測定装置のディスプレイを盗視テスト用のディスプレイとして使用することができ、被測定装置が盗視に対して安全かどうかの確認を簡単に行うことができる電波盗視テスターを提供することである。
【０００８】
【課題を解決するための手段】
図１（ａ）（ｂ）は本発明の原理図である。同図（ａ）において、１は電波盗視テスター、１ａは受信された画像漏洩電波を増幅し検波する増幅／検波手段、１ｂ，１ｃは切換手段、２はサーチコイルやプローブ等から構成される画像漏洩電波を受信する受信手段、３ａ，３ｂ，３ｃ，３ｄはコネクタ、４は被測定対象となるコンピュータ本体、５は該コンピュータ本体のディスプレイ、６は第２のディスプレイ、７は周波数可変発振器である。
【０００９】
また、同図（ｂ）は電波盗視テスター１をプローブ・ユニット８とコネクタ・ユニット９に分離した状態を示しており、プローブ・ユニット８は受信手段２、増幅／検波手段１ａ、切換手段等から構成され、コネクタ・ユニット９はコンピュータ本体４、ディスプレイ６等に接続されるコネクタから構成される。
上記課題を解決するため、本発明の請求項１の発明は、電波盗視テスター１を、画像漏洩電波を検出する受信手段２と、受信された画像漏洩電波を増幅／検波し盗視画像を得る増幅／検波手段１ａと、コンピュータ本体４のディスプレイ出力端子に接続される第１の接続手段３ｂと、ディスプレイ５の入力端子に接続される第２の接続手段３ａとから構成し、上記増幅／検波手段１ａの出力を第２の接続手段３ａの画像端子に接続し、第１の接続手段３ｂから入力される同期信号を第２の接続手段３ａの同期信号端子に接続したものである。
【００１０】
本発明の請求項２の発明は、請求項１の発明において、第２の接続手段３ａの画像端子を、増幅／検波手段１ａの出力もしくは第１の接続手段３ｂから入力される画像信号に選択的に接続する切換手段１ｂを設けたものである。
本発明の請求項３の発明は、請求項１または請求項２の発明において、第２のディスプレイ６に接続される第３の接続手段３ｃを設け、第１の接続手段３ｂから入力される画像信号および同期信号を第３の接続手段３ｃの画像端子および同期信号端子に接続したものである。
【００１１】
本発明の請求項４の発明は、請求項１，２または請求項３の発明において、画像漏洩電波を検出する受信手段２として、画像漏洩電波を検出するサーチコイルを用いたものである。
【００１３】
本発明の請求項５の発明は、請求項１，２，３または請求項４の発明において、外部に設けられた周波数可変発振器７に接続される外部同期信号入力端子３ｄと、第２の接続手段３ａの同期信号端子を、外部同期信号入力端子３ｄと第１の接続手段３ｂの同期信号端子に選択的に接続する切換手段１ｃを設けたものである。
【００１４】
【作用】
図１において、サーチコイルやプローブから構成される受信手段２を備えた電波盗視テスター１を、コネクタ３ａ，３ｂにより、被測定対象となるコンピュータ本体４とディスプレイ５の間に接続する。そして、上記受信手段２により被測定対象から放射される画像漏洩電波を受信する。増幅／検波手段１ａは受信された電波を増幅検波し、盗視画像情報を得る。一方、コンピュータ本体５から出力される同期信号を、電波盗視テスターのコネクタ３ａ，３ｂを介してディスプレイ６の同期信号入力端子に接続し、また、上記盗視画像情報をディスプレイ６の画像端子に接続する。これにより、ディスプレイ６の画像端子には盗視画像情報が接続され、同期端子にはコンピュータ本体４が出力する同期信号が接続されることとなり、被測定対象から画像漏洩電波が放射されている場合、ディスプレイ６にコンピュータ本体４が表示していた画像と同じ画像が表示される。
【００１５】
また、電波盗視テスターに外部同期信号入力端子３ｄを設け、外部に設けた周波数可変発振器の出力を接続できるように構成することもできる。
本発明の請求項１の発明においては、上記のように、電波盗視テスター１を、画像漏洩電波を検出する受信手段２と、受信された画像漏洩電波を増幅／検波し盗視画像を得る増幅／検波手段１ａと、コンピュータ本体４のディスプレイ出力端子に接続される第１の接続手段３ｂと、ディスプレイ５の入力端子に接続される第２の接続手段３ａとから構成し、上記増幅／検波手段１ａの出力を第２の接続手段３ａの画像端子に接続し、第１の接続手段３ｂから入力される同期信号を第２の接続手段３ａの同期信号端子に接続したので、同期信号を発生する発振器等を使用することなく、コンピュータシステムから画像漏洩電波が放射されているか否かを確認することができる。また、漏洩電波に含まれる画像情報の盗視の確認を無調整で、かつ、簡単な装置で容易に行うことができる。
【００１６】
本発明の請求項２の発明においては、請求項１の発明において、第２の接続手段３ａの画像端子を、増幅／検波手段１ａの出力もしくは第１の接続手段３ｂから入力される画像信号に選択的に接続する切換手段１ｂを設けたので、受信手段２により受信された画像と、コンピュータ本体４が出力している画像が一致しているか否かを簡単に確認することができる。
【００１７】
本発明の請求項３の発明においては、請求項１または請求項２の発明において、第２のディスプレイ６に接続される第３の接続手段３ｃを設け、第１の接続手段３ｂから入力される画像信号および同期信号を第３の接続手段３ｃの画像端子および同期信号端子に接続したので、受信手段２によりディスプレイ６の周辺を探ることにより、コンピュータ本体４からの画像漏洩電波の放射のテストだけでなく、ディスプレイ６から画像漏洩電波が放射されているか否かをテストすることができる。また、盗視画像とコンピュータ本体４の画像を同時に表示することができるので、それらを比較して盗視の確認を容易に行うことができる。
【００１８】
本発明の請求項４の発明においては、請求項１，２または請求項３の発明において、画像漏洩電波を検出する受信手段２として、画像漏洩電波を検出するサーチコイルを用いたので、コンピュータ本体４やディスプレイ６の周辺の画像漏洩電波を容易に探ることができる。
【００２０】
本発明の請求項５の発明においては、請求項１，２，３または請求項４の発明において、外部に設けられた周波数可変発振器７に接続される外部同期信号入力端子３ｄと、第２の接続手段３ａの同期信号端子を、外部同期信号入力端子３ｄと第１の接続手段３ｂの同期信号端子に選択的に接続する切換手段１ｃを設けたので、本発明の電波盗視テスターを使用して、他の独立している異なる同期信号の装置の盗視を行うことができ、汎用の盗視装置として利用できるようになる。
【００２１】
【実施例】
（１）第１の実施例
図２は本発明の第１の実施例を示す図であり、同図（ａ）は本発明の第１の実施例の電波盗視テスターの接続位置を示し、（ｂ）は本発明の第１の実施例の電波盗視テスターの構成を示している。
【００２２】
同図において、１１はパソコン本体、１２はディスプレイであり、パソコン本体１１とディスプレイ１２からなるシステムが本実施例において盗視に対する被測定対象となる。
１３は本実施例の電波盗視テスターであり、電波盗視テスター１３は同図（ａ）に示すように被測定対象となるパソコン本体１１とディスプレイ１２を接続するケーブル間に接続され、電波盗視テスター１３に接続されるサーチコイル１４によりパソコン本体１１、ディスプレイ１２、ケーブル周辺の漏洩電波が受信される。
【００２３】
電波盗視テスター１３は同図（ｂ）に示すように、サーチコイル１４とサーチコイル１４により受信された信号を増幅するプリアンプ１３ａとプリアンプ１３ａの出力を検波する検波回路１３ｂと、ディスプレイ・ケーブルを接続するコネクタ１３ｃとパソコン本体に接続される本体接続コネクタ１３ｄから構成される。なお、パソコン本体１１から出力されるＲＧＢ信号は電波盗視テスター使用時には使用されない。
【００２４】
本実施例の電波盗視テスター１３により被測定対象から画像漏洩電波が漏洩してるか否かを確認するには、図２（ａ）に示すように、パソコン本体１１とディスプレイ１２間のケーブルに電波盗視テスター１３を接続し、サーチコイル１４により被測定対象の周辺をサーチする。
画像漏洩電波が放射されている場合には、サーチコイル１４により電波が受信される。そして、プリアンプ１３ａで増幅されて検波回路１３ｂで検波され、盗視画像情報が得られる。この盗視画像情報には、前記したように同期信号が含まれていないので、これだけではディスプレイ１２に同期した画像は表示できない。
【００２５】
そこで、パソコン本体１１が出力する水平同期信号Ｈと垂直同期信号Ｖをコネクタ１３ｄを介して電波盗視テスター１３に入力し、それらの同期信号をそのまま、コネクタ１３ｃを介してディスプレイ１２に送出する。
これにより、被測定対象から画像漏洩電波が放射されている場合、ディスプレイ１２上に同期した画像が表示される。
【００２６】
以上のように本実施例においては、同期信号を発生する発振器等を使用することなく、コンピュータシステムから画像漏洩電波が放射されているか否かを確認することができる。
また、漏洩電波に含まれる画像情報の盗視の確認を無調整で、かつ、簡単な装置で容易に行うことができる。
（２）第２の実施例
図３は本発明の第２の実施例を示す図であり、本実施例は図２に示した第１の実施例の電波盗視テスター１３に盗視画像と本体装置画像を切り換える切り換えスイッチＳＷ１を付加し、パソコン本体から送出されるＲＧＢ信号を上記切り換えスイッチＳＷ１の切り換え接点２に接続したものであり、その他の構成は図２に示した第１の実施例と同じである。
【００２７】
同図において、切り換えスイッチＳＷ１を接点１側に切り換えたときには、第１の実施例と同様に、サーチコイル１４により受信された画像漏洩電波がプリアンプ１３ａで増幅され検波回路１３ｂで検波されてディスプレイに盗視画像が表示される。
一方、切り換えスイッチＳＷ１を接点２側に切り換えると、パソコン本体が出力しているＲＧＢ信号がディスプレイに出力され、ディスプレイにパソコン本体が出力する本体装置画像が表示される。
【００２８】
本実施例においては、上記のように切り換えスイッチＳＷ１を設け、盗視画像と本体装置画像を切り換え表示できるようにしたので、両者の画像が一致しているか否かを簡単に確認することができる。
（３）第３の実施例
図４（ａ）（ｂ）は本発明の第３の実施例を示す図であり、本実施例においては、第２の実施例において、ディスプレイ接続用のコネクタを被試験用と盗視画像用の２個設け、それぞれのコネクタに本体装置の画像を表示するディスプレイ１２と盗視画像を表示する第２のディスプレイ１５に接続するとともに、切り換えスイッチＳＷ１により、第２のディスプレイ１５に表示される画像を盗視画像と本体装置画像に切り換えられるように構成したものであり、その他の構成は第２の実施例と同様である。
【００２９】
同図（ａ）（ｂ）において、ディスプレイ１２には常にパソコン本体装置１１が出力する画像が表示されており、切り換えスイッチＳＷ１を接点２側に切り換えているときには、ディスプレイ１５にも本体装置画像が表示される。また、切り換えスイッチＳＷ１を接点１側に切り換えると、ディスプレイ１５には検波回路１３ｂの出力が接続され盗視画像が表示される。
【００３０】
本実施例においては、上記のように、本体装置の画像を表示するディスプレイ１２と盗視画像を表示する第２のディスプレイ１５を接続できるようにしているので、サーチコイル１４により、本体装置の画像を表示するディスプレイ１２の周辺を探ることにより、ディスプレイ１２から画像漏洩電波が放射されているか否かをテストすることができる。また、盗視画像と本体装置の画像を同時に表示することができるので、それらを比較して盗視の確認を容易に行うことができる。
（４）第４の実施例
図５は本発明の第４の実施例を示す図であり、本実施例は前記した第１の実施例において、サーチコイル１４に換え、パソコン本体の回路部分に直接電気的に接触することができる、例えば、同図（ｂ）に回路例を示すプローブ１４’を用いたものであり、その他の構成は第１の実施例と同様である。
【００３１】
同図において、画像漏洩電波の放射をテストするには、プローブ１４’をパソコン本体装置の回路に電気的に接触させる。画像漏洩電波が放射されていると、該信号がプローブ１４’からプローブ回路のコンデンサＣ、抵抗Ｒを介して電波盗視テスター１３に入力され、第１の実施例と同様に、ディスプレイ１２に盗視画像が表示される。
【００３２】
本実施例においては、プローブ１４’を回路部分に電気的に接触させて画像漏洩電波の放射をテストするようにしているので、画像漏洩電波の発生源と成っている回路を容易に確認することができ、対策の工数削減を図ることができる。
なお、前記した第２〜第３の実施例のサーチコイル１４をプローブ１４’に置き換え、同様に画像漏洩電波の発生源と成っている回路を確認することができる。
（５）第５の実施例
図６は本発明の第５の実施例を示す図であり、本実施例は、コンピュータ本体とディスプレイに接続されるコネクタから構成されるコネクタ・ユニットと、画像漏洩電波を受信して増幅・検波するプローブ・ユニットを分離したものである。
【００３３】
同図において、２１はプローブ・ユニットであり、プローブ・ユニット２１はプローブ１４’と受信された高周波信号を増幅する高周波アンプ２１ａと、検波回路２１ｂと検波されたビデオ信号を増幅するビデオアンプ２１ｃと切り換えスイッチＳＷ１〜ＳＷ３とコネクタ２１ｄから構成されている。
２３はコネクタ・ユニットであり、コネクタ・ユニット２３はプローブ・ユニットに接続されるコネクタ２３ａとディスプレイへ接続されるコネクタ２３ｂとパソコン本体装置に接続されるコネクタ２３ｃから構成され、プローブ・ユニット２１とコネクタ・ユニット２３はケーブル２２を介して接続される。
【００３４】
本実施例の装置により画像漏洩電波のテストは以上説明した実施例と同様であり、コネクタ・ユニット２３をパソコン本体装置とディスプレイ間のケーブルに接続し、コネクタ・ユニット２３とプローブ・ユニット２１をケーブル２２で接続する。
そして、切り換えスイッチＳＷ１〜ＳＷ３を接点１側に切り換え、プローブ１４’により回路部分に接触して、ディスプレイの盗視画像を確認し、画像漏洩電波の発生源と成っている回路を確認する。また、切り換えスイッチＳＷ１〜ＳＷ３を接点２側に切り換え、本体装置が出力している画像と上記盗視画像が一致していることを確認する。
【００３５】
本実施例においては、上記のように、コネクタ・ユニットとプローブユニットを分離したので、被測定装置に合わせてコネクタ・ユニットを交換することができ、あらゆる装置の試験に対応することができる。
（６）第６の実施例
図７、図８は本発明の第６の実施例を示す図であり、本実施例は本発明の電波盗視テスターに周波数可変発振器を接続できるように構成し、本発明の電波盗視テスターを汎用の盗視装置として利用できるようにしたものである。
【００３６】
図７は本実施例の電波盗視テスターの構成を示しており、前記図４（ｂ）に示したものと同一のものには同一の符号が付されており、本実施例においては、図４（ｂ）のものに周波数可変発振器３１を接続するコネクタ１３ｆと、切り換えスイッチＳＷ２，ＳＷ３を付加し、アンテナ１４”を設けたものである。
本実施例の電波盗視テスターにより盗視の確認を行う場合には、図８に示すように、図７に示す電波盗視テスターにディスプレイ１２を接続し、切り換えスイッチＳＷ２とＳＷ３を可変周波数発振器側に切り換え、アンテナ１４”により他のコンピュータ装置３２、ディスプレイ３３等から放射される画像漏洩電波を受信する。
【００３７】
そして、周波数可変発振器３１を調整し、他のコンピュータ装置３２の同期信号の周波数と位相に一致させる。これにより、画像漏洩電波が放射されている場合には、ディスプレイ１２に他のコンピュータ装置のディスプレイ３３に表示されている画像と同じ画像が表示される。
本実施例においては、上記のように、同期信号を外部の周波数可変発振器から入力できるようにしているので、本実施例の電波盗視テスターを使用して、他の独立している異なる同期信号の装置の盗視を行うことができ、汎用の盗視装置として利用できるようになる。
（７）実際の回路例
図９は本発明を実際の回路に適用した回路例を示す図であり、同図において、４０はサーチコイルまたはプローブ、４１は高周波アンプ、４２は検波回路である。
【００３８】
５０はコネクタ／切換ユニットであり、コネクタ／切換ユニット５０と検波回路４２はＢＮＣコネクタ５１ａを介して接続されている。そして、コネクタ／切換ユニット５０は、第１のディスプレイに接続されるコネクタ５１ｂ、第２のディスプレイに接続されるコネクタ５１ｃ、パソコン本体に接続されるコネクタ５１ｄ、周波数可変発振器に接続されるＢＮＣコネクタ５１ｅ、切り換えスイッチＳＷ１〜ＳＷ４を備えている。
【００３９】
同図において、盗視電波の確認を行う場合には次のように切り換えスイッチＳＷ１〜ＳＷ４を切り換えてテストを行う。
（ａ）パソコン本体から供給される同期信号を利用してテストを行う場合。
▲１▼  コネクタ５１ｂに接続されたディスプレイを盗視画面再生用とし、コネクタ５１ｃに接続されたディスプレイを本体装置の画像表示用として使用する場合。
【００４０】
スイッチＳＷ１を接点１側、スイッチＳＷ２を接点２側、スイッチＳＷ３，ＳＷ４を接点２側に切り換え、サーチコイルまたはプローブ４０により画像漏洩電波をサーチする。
画像漏洩電波が放射されていると、サーチコイルまたはプローブ４０により受信された信号が高周波アンプ４１で増幅され検波回路４２で検波される。この盗視画像情報はスイッチＳＷ１、コネクタ５１ｂを介してディスプレイに送られ、盗視画像が表示される。
【００４１】
また、コネクタ５１ｃに接続されたディスプレイにはパソコン本体装置の画像が表示されているので、上記盗視画像と一致しているか否かを確認することができる。
なお、コネクタ５１ｃにディスプレイが接続されていない場合には、切り換えスイッチＳＷ１を接点２側に切り換えることにより、コネクタ５１ｂに接続されたディスプレイに本体装置の画像が表示されるので、上記盗視画像と比較して一致しているか否かを確認することができる。
▲２▼  コネクタ５１ｃに接続されたディスプレイを盗視画面再生用とし、コネクタ５１ｂに接続されたディスプレイを本体装置の画像表示用として使用する場合。
【００４２】
スイッチＳＷ１を接点２側、スイッチＳＷ２を接点１側、スイッチＳＷ３，ＳＷ４を接点２側に切り換え、サーチコイルまたはプローブ４０により画像漏洩電波をサーチする。
これにより上記▲１▼と同様にしてコネクタ５１ｃに接続されたディスプレイに盗視画像が表示され、コネクタ５１ｂに接続されたディスプレイに本体装置の画像が表示される。したがって、両者の画像の一致を確認することにより盗視の可能性を確認することができる。
【００４３】
また、▲１▼の場合と同様、コネクタ５１ｂにディスプレイが接続されていない場合には、切り換えスイッチＳＷ１を接点２側に切り換えることにより、コネクタ５１ｃに接続されたディスプレイに本体装置の画像が表示されるので、上記盗視画像と比較して一致しているか否かを確認することができる。
（ｂ）外部同期信号を利用してテストを行う場合。
【００４４】
コネクタ５１ｂまたはコネクタ５１ｃにディスプレイを接続するとともに、コネクタ５１ｅに周波数可変発振器を接続し、スイッチＳＷ３、スイッチＳＷ４の内、ディスプレイが接続された側のスイッチを接点１側に切り換える。
そして、前記第６の実施例と同様に、外部に接続された周波数可変発振器を調整し、盗視の対象となる他のコンピュータ装置の同期信号の周波数と位相に一致させる。これにより、画像漏洩電波が放射されている場合には、ディスプレイに他のコンピュータ装置の画像が表示される。
【００４５】
【発明の効果】
以上説明したように本発明は次の効果を得ることができる。
(1) 請求項１の発明においては、電波盗視テスターを、画像漏洩電波を検出する受信手段と、受信された画像漏洩電波を増幅／検波し盗視画像を得る増幅／検波手段と、コンピュータ本体のディスプレイ出力端子に接続される第１の接続手段と、ディスプレイの入力端子に接続される第２の接続手段とから構成し、上記増幅／検波手段１ａの出力を第２の接続手段の画像端子に接続し、第１の接続手段から入力される同期信号を第２の接続手段の同期信号端子に接続したので、同期信号を発生する発振器等を使用することなく、コンピュータシステムから画像漏洩電波が放射されているか否かを確認することができる。また、漏洩電波に含まれる画像情報の盗視の確認を無調整で、かつ、簡単な装置で容易に行うことができる。このため、コンピュータシステムの製造者における画像盗視防止技術の開発に寄与するところが大であり、また試験の効率化を図ることができる。
(2) 請求項２の発明においては、第２の接続手段の画像端子を、増幅／検波手段の出力もしくは第１の接続手段から入力される画像信号に選択的に接続する切換手段を設けたので、受信手段により受信された画像と、コンピュータ本体が出力している画像が一致しているか否かを簡単に確認することができる。
(3) 請求項３の発明においては、第２のディスプレイに接続される第３の接続手段を設け、第１の接続手段から入力される画像信号および同期信号を第３の接続手段の画像端子および同期信号端子に接続したので、受信手段によりディスプレイの周辺を探ることにより、コンピュータ本体からの画像漏洩電波の放射のテストだけでなく、ディスプレイから画像漏洩電波が放射されているか否かをテストすることができる。
また、盗視画像とコンピュータ本体４の画像を同時に表示することができるので、それらを比較して盗視の確認を容易に行うことができる。
(4) 請求項４の発明においては、画像漏洩電波を検出する受信手段として、画像漏洩電波を検出するサーチコイルを用いたので、コンピュータ本体やディスプレイの周辺の画像漏洩電波を容易に探ることができる。
(5) 請求項５の発明においては、外部に設けられた周波数可変発振器に接続される外部同期信号入力端子と、第２の接続手段の同期信号端子を、外部同期信号入力端子と第１の接続手段の同期信号端子に選択的に接続する切換手段を設けたので、本発明の電波盗視テスターを使用して、他の独立している異なる同期信号の装置の盗視を行うことができ、汎用の盗視装置として利用できるようになる。
【図面の簡単な説明】
【図１】本発明の原理図である。
【図２】本発明の第１の実施例を示す図である。
【図３】本発明の第２の実施例を示す図である。
【図４】本発明の第３の実施例を示す図である。
【図５】本発明の第４の実施例を示す図である。
【図６】本発明の第５の実施例を示す図である。
【図７】本発明の第６の実施例を示す図である。
【図８】本発明の第６の実施例を示す図である。
【図９】本発明を実際の回路に適用した回路例を示す図である。
【図１０】従来例を示す図である。
【符号の説明】
１                                      電波盗視テスター
１ａ                                    増幅／検波手段
１ｂ，１ｃ                              切換手段
２                                      受信手段
３ａ，３ｂ，３ｃ，３ｄ                  コネクタ
４                                      コンピュータ本体
５，６                                  ディスプレイ
７                                      周波数可変発振器
８，２１                                プローブ・ユニット
９，２３                                コネクタ・ユニット
１１                                    パソコン本体
１２，１５，３３                        ディスプレイ
１３                                    電波盗視テスター
１３ａ                                  プリアンプ
１３ｂ，４２                            検波回路
１３ｃ，１３ｄ                          コネクタ
１４                                    サーチコイル
１４’                                  プローブ
１４”                                  アンテナ
２１ａ，４１                            高周波アンプ
２１ｂ                                  検波器
２１ｃ                                  ビデオアンプ
２１ｄ，２３ａ，２３ｂ，２３ｃ          コネクタ
２２                                    ケーブル
３１                                    周波数可変発振器
３２                                    他のコンピュータ
５１ａ，５１ｂ，５１ｃ，５１ｄ，５１ｅ  コネクタ
５０                                    コネクタ／切換ユニット
ＳＷ１，ＳＷ２，ＳＷ３，ＳＷ４          切換スイッチ
【図１】
0003549581.tif 000002
【図２】
0003549581.tif 000003
【図３】
0003549581.tif 000004
【図４】
0003549581.tif 000005
【図５】
0003549581.tif 000006
【図６】
0003549581.tif 000007
【図７】
0003549581.tif 000008
【図８】
0003549581.tif 000009
【図９】
0003549581.tif 000010
【図１０】
0003549581.tif 000011